(57)【要約】【課題】  施肥ホッパの耐久性を向上させると共に、肥料の補充作業時に作業者の両手が塞がっていても開閉操作が行える構成として、作業能率を向上させる。【解決手段】  走行車体９の後部に苗植付部１６を昇降自在に設け、走行車体９の後側上部に後部フロア８を設け、後部フロア８の上側に肥料を貯留する施肥ホッパ１８を設け、施肥ホッパ１８の下部には、繰出装置１９と施肥ブロワ２０と施肥ホース２１を設け、施肥ホッパ１８のホッパ口２３に蓋２５を回動自在に設け、蓋２５の前縁部で且つ施肥ホッパ１８の左右の側壁２７，２７に亘って補強バー２６を設け、左右の側壁２７，２７の前側部には後部フロア８から立設する左右の支柱２８，２８を各々設け、左右の支柱２８，２８の上端部に補強バー２６の左右両側部を支持すると共に蓋２５を開閉させる係合部材２９を設けて構成する。【選択図】図５
2015123045.tif 000002
【特許請求の範囲】
【請求項１】
走行車体（９）の後部に、苗を積載する苗タンク（１４）と、該苗タンク（１４）から苗を取って圃場に植え付ける植付装置（１５）からなる苗植付部（１６）を昇降自在に設け、前記走行車体（９）の後側上部に後部フロア（８）を設け、
該後部フロア（８）の上側に肥料を貯留する施肥ホッパ（１８）を設け、該施肥ホッパ（１８）の下部には、肥料を繰り出す繰出装置（１９）と、該繰出装置（１９）から繰り出された肥料を送風搬送する施肥ブロワ（２０）と、該施肥ブロワ（２０）によって送風搬送される肥料を圃場に案内する施肥ホース（２１）を設け、
前記施肥ホッパ（１８）の上側ホッパ口（２３）に蓋（２５）を回動自在に設け、該蓋（２５）の前縁部で且つ、前記施肥ホッパ（１８）の左右の側壁（２７，２７）に亘って補強バー（２６）を設け、該左右の側壁（２７，２７）の前側部には、前記後部フロア（８）から立設する左右の支柱（２８，２８）を各々設け、該左右の支柱（２８，２８）の上端部に前記補強バー（２６）の左右両側部を支持すると共に、前記蓋（２５）を開閉可能とする係合部材（２９）を設けたことを特徴とする苗移植機の施肥装置。
【請求項２】
前記蓋（２５）の左右両側端部には、前記左右の側壁（２７，２７）の外側に各々沿う左右のサイドアーム（３０，３０）を開閉回動自在に設け、該左右のサイドアーム（３０，３０）と前記左右の側壁（２７，２７）の外側壁の間に、前記蓋（２５）を開動させるスプリング（３１）を設け、該スプリング（３１）の張圧力を変更自在に構成したことを特徴とする請求項１に記載の苗移植機の施肥装置。
【請求項３】
前記係合部材（２９）を左右の支柱（２８，２８）に設け、該左右の支柱（２８，２８）を前後回動操作するペダル（３５）を設け、該ペダル（３５）を操作すると閉鎖位置の補強バー（２６）から係合部材（２９）が外れ、前記蓋（２５）が開動可能となることを特徴とする請求項１または２に記載の苗移植機の施肥装置。
【請求項４】
前記係合部材（２９）を設けた左右の支柱（２８，２８）の下端部を前記後部フロア（８）の左右両側部で且つ前部位置に設け、前記左右の支柱（２８，２８）を左右両側部に亘って軸架する支軸（３６）の両端部に固定して一体回動するように構成し、該支軸（３６）の左右両側部位置に前記ペダル（３５）を設けたことを特徴とする請求項１から３のいずれか１項に記載の苗移植機の施肥装置。
【請求項５】
前記エンジンルーム（３７）の後側の排出風路（３８）と、該エンジンルーム（３７）の後側の後輪（６，６）との間を仕切って排風案内する排風カバー（３９）を設け、該排出風路（３８）の上側部に前記施肥ブロア（２０）に連通する吸気ダクト（４１）の吸気口（４０）を連通して、前記排出風路（３８）の熱風を施肥ブロア（２０）に吸引して取り込む構成としたことを特徴とする請求項１から４のいずれか１項に記載の苗移植機の施肥装置。
【請求項６】
前記繰出装置（１９）の下部には、前記施肥ブロア（２０）からの送風によりこの各残留肥料取出口（４２）から取り出される肥料を受けて排出口（４３）へ取出搬送する取出ダクト（４４）と、前記施肥ブロア（２０）の吸気ダクト（４１）の途中部を前記排出風路（３８）に連通させると共に、先端部の吸気口（４６）を前記取出ダクト（４４）の取出口（４３）の上部位置に臨ませる吸気ダクト（４１）を配置し、該吸気ダクト（４１）の排出風路（３８）の連通位置に切替弁（４５）を設け、通常施肥作業状態時には前記排出風路（３８）から熱風を吸引案内し、残留肥料取出状態時には前記吸気口（４６）から外気を吸引する状態に切り替えることを特徴とする請求項５に記載の苗移植機の施肥装置。
【発明の詳細な説明】
【技術分野】
【０００１】
この発明は、多条植形態の苗移植機において、施肥ホッパに対する肥料補給作業や、及び苗タンクに対するマット苗の補給作業等を行い易くする施肥装置に関する。
【背景技術】
【０００２】
苗移植機車体の後方に多条植形態の苗植付部をリフトリンクを介して昇降可能に連結し、運転席の後側部には施肥装置を搭載すると共に、この施肥ホッパの上側ホッパ口を開閉する蓋を構成する施肥装置の技術が知られている。（例えば、特許献１参照）
【先行技術文献】
【特許文献】
【０００３】
【特許文献１】特開２０１３−  ７０６７８号公報
【発明の概要】
【発明が解決しようとする課題】
【０００４】
多条植形態の苗移植機は、施肥装置の施肥ホッパの横幅を長くなり、この施肥ホッパ、及びこのホッパ口を閉鎖する蓋の横幅も広くなって、剛性が低下して捩じれ易くなる。
このため、施肥ホッパを越えて後側の苗タンクに対するマット苗の補給作業を行うときは、この施肥ホッパ、特にこのホッパ口の蓋上面に凭れたり、補給マット苗、作業者体重等の一部の重量または作業操作力を支持させたり、作業者の身体を預けながら作業することが多く、施肥ホッパや蓋部の強度が弱いと、肥料補給作業や苗補給作業が行い難く、作業能率が低下する問題がある。
【課題を解決するための手段】
【０００５】
請求項１に記載の発明は、走行車体（９）の後部に、苗を積載する苗タンク（１４）と、該苗タンク（１４）から苗を取って圃場に植え付ける植付装置（１５）からなる苗植付部（１６）を昇降自在に設け、前記走行車体（９）の後側上部に後部フロア（８）を設け、該後部フロア（８）の上側に肥料を貯留する施肥ホッパ（１８）を設け、該施肥ホッパ（１８）の下部には、肥料を繰り出す繰出装置（１９）と、該繰出装置（１９）から繰り出された肥料を送風搬送する施肥ブロワ（２０）と、該施肥ブロワ（２０）によって送風搬送される肥料を圃場に案内する施肥ホース（２１）を設け、前記施肥ホッパ（１８）の上側ホッパ口（２３）に蓋（２５）を回動自在に設け、該蓋（２５）の前縁部で且つ、前記施肥ホッパ（１８）の左右の側壁（２７，２７）に亘って補強バー（２６）を設け、該左右の側壁（２７，２７）の前側部には、前記後部フロア（８）から立設する左右の支柱（２８，２８）を各々設け、該左右の支柱（２８，２８）の上端部に前記補強バー（２６）の左右両側部を支持すると共に、前記蓋（２５）を開閉可能とする係合部材（２９）を設けたことを特徴とする苗移植機の施肥装置とする。
【０００６】
苗の植付作業時に苗タンク（１４）の苗が減少し、苗補給を行うときは、作業者はサイドフロア（１１）の上面を前後に移動しながら、前方の補助苗載枠に搭載しているマット苗を取り出して、サイドフロア（１１）の後端部から施肥ホッパ（１８）を越える姿勢で、後側の各苗タンク（１４）の上面に苗を供給する。
【０００７】
このとき、施肥ホッパ（１８）はホッパ口（２３）の上面を蓋（２５）で閉鎖しているため、苗補給作業者はマット苗を保持した状態の身体の腹部や、苗等の一部をこの施肥ホッパ（１８）を越える姿勢で、ホッパ口（２３）の蓋（２５）の上面や、補強バー（２６）等に支持させる、またはあずけることができるので、苗補給作業を安定した姿勢で行うことができる。
【０００８】
また、施肥作業によって施肥ホッパ（１８）の肥料が減少し、肥料補給を行うときは、このホッパ口（２３）の蓋（２５）を補強バー（２６）と共にヒンジ（２４）周りに後側上方に開動させてから、ホッパ口（２３）を開くことにより、サイドフロア（５）や、リヤフロア（８）等の上面に肥料袋を持ち上げて、この肥料袋内の肥料を施肥ホッパ（１８）内へ移し込んで補給する。
【０００９】
前記のように、ホッパ口（２３）を閉鎖した蓋（２５）は、この前端縁に沿って蓋（２５）幅方向の補強バー（２６）が設けられると共に、この補強バー（２６）の左右両端部が施肥ホッパ（１８）の側壁（２７）及び支柱（２８）の上端部に支持されているので、蓋（２５）の剛性を高くして、捩じれや歪みを軽減し、安定した重量物や作業者等の支持構成とすることができる。
【００１０】
請求項２に記載の発明は、前記蓋（２５）の左右両側端部には、前記左右の側壁（２７，２７）の外側に各々沿う左右のサイドアーム（３０，３０）を開閉回動自在に設け、該左右のサイドアーム（３０，３０）と前記左右の側壁（２７，２７）の外側壁の間に、前記蓋（２５）を開動させるスプリング（３１）を設け、該スプリング（３１）の張圧力を変更自在に構成したことを特徴とする請求項１に記載の苗移植機の施肥装置とする。
【００１１】
前記施肥ホッパ（１８）の蓋（２５）は、左右両側端のサイドアーム（３０）が施肥ホッパ（１８）の後側部のヒンジ（２４）周りに開閉回動することができ、これらサイドアーム（３０）とホッパ（１８）の側壁（２７）との間に設けられたスプリング（３１）の張圧力によって、後側へ自動開動するように付勢されている。このため、蓋（２５）を開くときは、前記支柱（２８）の上端部の係合フック（２９）を外すことによって、蓋（２５）がスプリング（３１）の張圧力によって自動的に開動される。
【００１２】
また、この蓋（２５）を閉動するときは、前記スプリング（３１）の張圧力に抗して手動で閉鎖回動して、係合フック（２９）を係合させて支柱（２８）上に係合固定させることができる。このような蓋（２５）を開閉回動するためのスプリング（３１）の張圧力を調節するときは、前記スプリング（３１）の先端部の係止位置を施肥ホッパ（１８）の側壁外側面に形成している係合孔（３２）に選択して掛け替えることによって、蓋（２５）の開閉回動状態を適宜調節することができる。
【００１３】
さらに、この形態では、蓋（２５）の外周部に沿って、前辺部には補強バー（２６）を、後辺部にはヒンジ（２４）を配置のヒンジバー（３３）を形成し、これら補強バー（２６）とヒンジバー（３３）との左右両端部間をサイドアーム（３０）で連結して囲桁形態の蓋枠（３４）を形成し、この蓋枠（３４）を蓋（２５）の外周部に嵌合させて取付ける形態とすることも可能である（図９参照）。
【００１４】
この場合、蓋枠（３４）は、蓋（２５）の上側部から外周部に嵌合するように前後補強バー（２６）とヒンジバー（３３）との両端部間を、サイドアーム（３０）で連結して、囲桁状形態に形成しているため、蓋（２５）の上側部から嵌合させて取付ける取付操作が簡単、容易であり、蓋（２５）が合成樹脂製薄板材から成形されていても、剛性を高めることができ、既製の蓋（２５）であっても、簡単且つ容易に取付けることができ、経済的に生産することができる。
【００１５】
また、蓋（２５）の外周部に嵌合させた蓋枠（３４）は、この蓋（２５）との間をボルト締めやリベット止め、接着剤による接着等によって固定することが可能である。そして、前記ヒンジバー（３３）は、施肥ホッパ（１８）の後側面部に回動片を介して支持させて蝶番状形態に取付け、蓋（２５）が蓋枠（３４）と共にこのヒンジバー（３３）の周りに開閉回動するように構成することができる。
【００１６】
請求項３に記載の発明は、前記係合部材（２９）を左右の支柱（２８，２８）に設け、該左右の支柱（２８，２８）を前後回動操作するペダル（３５）を設け、該ペダル（３５）を操作すると閉鎖位置の補強バー（２６）から係合部材（２９）が外れ、前記蓋（２５）が開動可能となることを特徴とする請求項１または２に記載の苗移植機の施肥装置とする。
【００１７】
前記蓋（２５）を前側へ回動して、ホッパ口（２３）を閉鎖したときは、この蓋（２５）の前側縁部に形成の補強バー（２６）の左右両端部がリヤフロア（８）の上方に立設の支柱（２８）の上端に支架されて、係合フック（２９）による係合によって蓋（２５）が開かないように保持される。
【００１８】
また、この係合フック（２９）の係合を外すことによって、蓋（２５）はスプリング（３１）の張圧力により、自動的にヒンジ（２４）周りに後方へ開動される。このような係合フック（２９）の操作は、サイドフロア（５）またはリヤフロア（８）上に立つ作業者が、リヤフロア（８）の横端部面上のペダル（３５）の踏込操作によって、補強バー（２６）からの係合を外して自動開動を許し、この蓋（２５）を手動で閉動操作することによって、係合フック（２９）による自動的係合を行わせる。
【００１９】
このため、施肥ホッパ（１８）の後側部の苗タンク（１４）に対する苗補給作業時は、作業者がこの補給のためのマット苗を所持した姿勢であっても、足元部のペダル（３５）を踏なければ、蓋（２５）が開くことはなく、苗補給作用を邪魔されることはない。
【００２０】
また、施肥ホッパ（１８）に肥料を補給するときは、補給のための重い肥料袋を所持した姿勢にあっても、足元部のペダル（３５）を踏込むことによって、係合フック（２９）による係合を外して閉鎖状態にある蓋（２５）をスプリング（３１）の力によって自動的に開動して、肥料袋による肥料補給を行い易くする。
【００２１】
請求項４に記載の発明は、前記係合部材（２９）を設けた左右の支柱（２８，２８）の下端部を前記後部フロア（８）の左右両側部で且つ前部位置に設け、前記左右の支柱（２８，２８）を左右両側部に亘って軸架する支軸（３６）の両端部に固定して一体回動するように構成し、該支軸（３６）の左右両側部位置に前記ペダル（３５）を設けたことを特徴とする請求項１から３のいずれか１項に記載の苗移植機の施肥装置とする（図３、図６参照）。
【００２２】
前記施肥ホッパ（１８）の蓋（２５）を開けるときは、リヤフロア（８）の左右両側部面に配置されたペダル（３５）を作業者が踏み込むことによって、左右各支柱（２８）の上端部の係合フック（２９）よる補強バー（２６）の左右両側端部の閉蓋係合を解除して、横幅広い蓋（２５）をスプリング（３１）の力によって後側のヒンジ（２４）の周りに後方回動して自動開動させる。
【００２３】
これらリヤフロア（８）の左右両側部面上に配置しているペダル（３５）は、作業者の搭乗している作業位置によって左右いずれか一方側のペダル（３５）を踏込操作することによって、支軸（３６）と連動して他方側のペダル（３５）及び支柱（２８）上の係合フック（２９）が回動されて、蓋（２５）を開動させることができる構成となる。
【００２４】
請求項５に記載の発明は、前記エンジンルーム（３７）の後側の排出風路（３８）と、該エンジンルーム（３７）の後側の後輪（６，６）との間を仕切って排風案内する排風カバー（３９）を設け、該排出風路（３８）の上側部に前記施肥ブロア（２０）に連通する吸気ダクト（４１）の吸気口（４０）を連通して、前記排出風路（３８）の熱風を施肥ブロア（２０）に吸引して取り込む構成としたことを特徴とする請求項１から４のいずれか１項に記載の苗移植機の施肥装置とする。
【００２５】
エンジン（４７）は、運転席（２）を搭載するエンジンカバー（１）の内部のエンジンルーム（３７）において駆動し、このエンジン駆動による熱気が後側の排風路（３８）から左右の後輪（６，６）の間隔部へ向けて排風される。
【００２６】
また、前記リヤフロア（８）の左右一側端部位置には、施肥ブロア（２０）が設けられ、この施肥ブロア（２０）の送風を施肥ダクト（６０）を介して各施肥ホース（２１）へ配風して、繰出装置（２２）から各施肥ホース（２１）へ繰出される繰出肥料を、各フロート（１０，１１）で均平された圃場面に施肥させる。
【００２７】
そして、このような施肥ブロア（２０）の送風は、前記エンジンルーム（３７）から排風路（３８）へ排風された熱風を吸気口（４０）から吸入して、吸気ダクト（４１）を介して施肥ブロア（２０）に吸入しながら、施肥ダクト（６０）から各施肥ホース（２１）側に送風する。
【００２８】
この吸気口（４０）の設けられる排風路（３８）は、後輪（６，６）が左右両側部に配置されるため、これら後輪（６，６）の回転によって跳ね上げられる泥土や泥水等があっても、排風カバー（３９）によって防泥及び防水されて、排風路（３８）を後方へ案内される綺麗な熱風排風を有効に吸気口（４０）に取込案内することができる。
【００２９】
しかも、施肥ブロア（２０）から排風路（３８）の吸気口（４０）に亘る吸気ダクト（４１）を構成することを要するが、この吸気ダクト（４１）と排風路（３８）の側部の排風カバー（３９）との構成により、簡潔に構成することができ、エンジン排気熱を有効に利用することができる。
【００３０】
請求項６に記載の発明は、前記繰出装置（１９）の下部には、前記施肥ブロア（２０）からの送風によりこの各残留肥料取出口（４２）から取り出される肥料を受けて排出口（４３）へ取出搬送する取出ダクト（４４）と、前記施肥ブロア（２０）の吸気ダクト（４１）の途中部を前記排出風路（３８）に連通させると共に、先端部の吸気口（４６）を前記取出ダクト（４４）の取出口（４３）の上部位置に臨ませる吸気ダクト（４１）を配置し、該吸気ダクト（４１）の排出風路（３８）の連通位置に切替弁（４５）を設け、通常施肥作業状態時には前記排出風路（３８）から熱風を吸引案内し、残留肥料取出状態時には前記吸気口（４６）から外気を吸引する状態に切り替えることを特徴とする請求項５に記載の苗移植機の施肥装置とする。
【００３１】
前記吸気ダクト（４１）の吸気口（４０）がエンジンルーム（３７）から排出される熱風を後輪（６，６）の間隔部から後方へ排風案内する排風路（３８）に臨ませて設けられるが、この吸気ダクト（４１）の切替弁（４５）を前記吸気口（４０）から先端部の吸気口（４６）側に切り替えて、吸気口（４０）から吸引を止めて吸気口（４６）からの吸引作用可能に切り替えることができる。
【００３２】
従って、通常の苗の植付作業時は、吸気口（４０）から熱風を吸引して利用するように切替弁（４５）を操作し、且つ苗の植付作業を停止して施肥ホッパ（１８）等に残留している肥料を取出ダクト（４４）の残留肥料排出口（４３）に取り出すときは、前記切替弁（４５）をこの排出口（４３）と同側に位置する吸気口（４６）側に吸引作用するように切り替えて、施肥ブロア（２０）による外気吸引をこの吸気ダクト（４１）の吸気口（４６）から行わせる。
【００３３】
残留肥料の取出作業中は、前記施肥ブロア（２０）による送風が取出ダクト（４４）を通して排出口（４３）に行われ、この送風力によって各残留肥料取出口（４２）から取出された残留肥料が取出ダクト（４４）を搬送されて、この排出口（４３）から機外へ排出される。
【００３４】
これに従って、排出口（４３）から多量の塵埃が飛散することがあるが、この排出口（４３）の上部に前記吸気ダクト（４１）の吸気口（４０）の吸引力が作用していることにより、この排出口（４３）から発生する塵埃が吸気口（４０）に吸引されるので、この排出口（４３）の作業環境を良好に維持する。
【発明の効果】
【００３５】
請求項１に記載の発明は、施肥ホッパ１８の蓋２５の前縁部には、左右横方向に亘る補強バー２６を形成するため、この蓋２５や、この蓋２５の閉鎖による施肥ホッパ１８の剛性を高めて、捩じれや、歪み等を少くすることができ、蓋２５の開閉を容易に行い、作業能率を高める。又、この蓋２５を補強した補強バー２６の左右両側端部が支柱２８上端部に支持されるため、これら蓋２５上面や補強バー２６上に、作業者の身体の一部を支持させたり、マット苗や肥料袋等の重量を受けさせても、蓋２５や施肥ホッパ１８等の変形、歪みを少くして、安定した作業姿勢を保持させて、苗補給作業や、肥料補給作業を的確に、高能率に行うことができる。
【００３６】
しかも、蓋２５は剛性樹脂製等によって比較的軽薄な材料から成形することも可能で、構成を簡単にし、安価に生産することができる。又、既製の蓋２５においても補強バー２６の付加で簡単、容易に実施することができる。
【００３７】
請求項２に記載の発明は、請求項１に記載の発明の効果に加えて、蓋２５の左右両側端部にサイドアーム３０を設けるため、この蓋２５の構成を前記前側縁部に沿って形成される補強バー２６による蓋２５の長手横幅方向の補強と共に、蓋２５の前後方向の補強を行って、簡単な構成で、蓋２５上側全面の剛性を高くすることができる。
【００３８】
また、前記サイドアーム３０や、スプリング３１機構等と共に、補強バー３６等を施肥ホッパ１８の外側部に配置して、内部供給の肥料収容、繰出等の抵抗、邪魔にならず、スプリング３１の調節操作を外部から簡単に行うことできる。
【００３９】
請求項３に記載の発明は、請求項１または２に記載の発明の効果に加えて、前記蓋２５の補強バー２６の左右両側部を支柱２８上端部に支持させて、係合フック２９の係合によって閉蓋状態を安定維持させることができ、この閉蓋２５上の剛性を高めることによって、安定した支持態勢を維持して、この蓋２５上面を利用して作業性を高め、施肥作用を良好に維持させることができる。
【００４０】
また、蓋２５を開くときは、リヤフロア８上面の足元部のペダル３５の踏込みよって、係合フック２９の係合を外して蓋２５を自動的に後方回動して開口するため、作業者は、重い肥料袋等を抱え持った姿勢にあっても、ペダル３５の踏込操作を簡単容易に行うことができ、構成を簡単にして、作業性を容易化することができる。
【００４１】
請求項４に記載の発明は、請求項１から３のいずれか１項に記載の発明の効果に加えて、横幅広い施肥ホッパ１８の閉蓋２５を支持する支柱２８や、この蓋２５開閉するための係合フック２９、及び係合フック２９を外し操作するペダル３５等を、サイドフロア５の後端部に位置するリヤフロア８の左右両端部上面で、施肥ホッパ１８及び施肥装置２２の前側下部位置に配置して、作業者が左右いずれの側のサイドフロア５及びリヤフロア８上面の作業位置からでも、肥料補給作業または苗補給作業を行いながら、足元部でのペダル３５操作を簡単且つ容易に行うことができ、簡単な構成でありながら、作業操作性を高めることができる。
【００４２】
また、前記左右両側部のペダル３５は、これらペダル３５の回動支軸３６で一体的に連結されて、リヤフロア８上面の前部位置に配置されるため、前記のように足元部でのペダル操作が容易であると共に、構成上においても他の施肥操作２２の構成部分である繰出装置１９や、施肥ブロア２０から各施肥ホース２１へ送風案内する施肥ダクト等の配置構成の邪魔になり難く、リヤフロア８面を広く形成して、苗補給や、肥料補給作業等を行い易くして、作業能率を高めることができる。
【００４３】
請求項５に記載の発明は、請求項１から４のいずれか１項に記載の発明の効果に加えて、前記のように施肥ブロア２０の送風は、エンジンルーム３７から排出される排風路３８の熱風排風が利用されるが、前記吸気口４０の後輪６より側方から後側部を排風カバー３９で覆うため、後輪６で跳ね上げた泥土が吸気口４０へ直接飛込むことを防止して、きれいなエンジンの熱風を施肥ブロア２０に取込ことができ、円滑な施肥作用を行わせることができる。しかも、簡単な構成とすることができる。
【００４４】
請求項６に記載の発明は、請求項５に記載の発明の効果に加えて、前記施肥ブロア２０の吸気は、吸気ダクト４１の切替弁４５の切替えによって、施肥作業時は、吸気口４０から排風路３８のエンジン熱風を吸入することができると共に、残留肥料の取出作業時は、この排出口４３部上の吸気口４６から吸引して、この排出口４３部周辺部に飛散する塵埃を吸引して、きれいな作業環境に維持することができる。
【００４５】
また、前記切替弁４５の切替構成によって、吸気ダクト４１の配置形態を単一形態として有効利用することができるので、簡潔構成とすることができ、切替弁４５の切替えによって操作を容易にすることができる。
【図面の簡単な説明】
【００４６】
【図１】苗移植機の側面図
【図２】苗移植機の平面図
【図３】施肥ホッパ部の正面図
【図４】施肥ホッパ部の蓋部の平面図
【図５】施肥ホッパ部の蓋の開閉状態を示す側面図
【図６】蓋枠を取り付けた形態の正面図
【図７】蓋部の平面図
【図８】蓋部の開閉状態を示す側面図
【図９】一部の実施例を示す蓋枠部の平面図（Ａ）と、その背面図（Ｂ）と、その分解側面図（Ｃ）。
【図１０】施肥装置ダクト部の平面配置図（Ａ）と、その吸気ダクト部の正  面図（Ｂ）
【図１１】排風路部の側面図
【図１２】排風路部の背面図
【図１３】肥料排出レバー部の作動状態を示す斜視図
【図１４】線引マーカ部の正面図と、その側面図
【発明を実施するための形態】
【００４７】
図例に基づいて、苗移植機は、ステアリングハンドル４によって操向する前輪３と、後輪６を配置して、この前後中央部にエンジン４７を搭載し、このエンジンルーム３７上を覆うエンジンカバー１の上部に運転席２を搭載して、乗用四輪走行形態の車体９を構成し、この車体９の後側に平行リンク形態のリフトリンク１７を介して苗植付部１６を昇降可能に連結している。施肥装置２２は、前記運転席２の後側に形成のリヤフロア８の上側に構成している。
【００４８】
前記車体９の前部にはエンジン４７によって駆動される油圧無段変速装置４８、及びミッションケース４９内の伝動機構等を介して、前輪３、及び後輪６を伝動して走行し、又、ＰＴＯ軸５０を伝動して後部の苗植付部１６や、施肥装置２２、及び苗植付部１６前側の代掻ロータ５１等を伝動して苗の植付作業することができる。前記車体９後端部のリヤフレーム５２に上下回動可能にリフトリンク１７を連結し、車体９側のリフトシリンダ５３の伸縮によって昇降回動することができる。
【００４９】
前記リフトリンク１７の後端に連結の苗植付部１６は、土壌面を滑走して均平化するセンタフロート１０と、この左右両側部のサイドフロート１１を配置して、苗植フレーム１２を支持している。この苗植フレーム１２の上側には、マット苗を載せて左右横方向へ移動しながら、底部の繰出ベルトの駆動により後下部の苗取口１３へ繰出す多条植形態の苗タンク１４を、後端下りの傾斜にして設け、この苗植フレーム１２の後端部には、先端部の植付爪部を側面視楕円形状の植付奇跡線Ｄに昇降作動させて、上部の苗取口部１３に繰出された苗を分離保持して、各フロート１０、１１で均平された土壌面へ挿植する多条植形態の植付装置１５を配置する。この苗植付部１６の前側には、代掻ロータ５１を配置して、掻フロート１０、１１で均平する土壌面を代掻して、均平し易くする。
【００５０】
前記車体９には、運転席２から前部のステアリングポスト５４部に亘るセンタフロア部の左右外側部にサイドフロア５を形成して、苗補給や、肥料補給等の補給作業を行い易く構成している。このサイドフロア５の後端部は、後輪６上を覆うリヤフェンダー５５に連結して、このフェンダー５５の後端上部にリヤフロア７を連結構成して前記リヤフレーム５２上に支持させている。前記サイドフロア５の前端外側部には、補助苗載棚５６を支持する棚支持枠５７を設けて、苗の植付作業を行うにあたり、苗タンク１４に補給するためのマット苗を搭載収容しておくことができる。
【００５１】
前記リヤフロア７は、左右両側部のフェンダー５５間に亘って横幅広く形成されて、この上側に沿って施肥装置２２を配置する。施肥装置２２は各苗植付条毎に一基宛て毎配置するが、複数植付条に一基宛毎配置することも可能である。前記施肥装置２２は、上部に横幅広く形成した施肥ホッパ１８を構成し、この下部に横方向の繰出軸５８の周りに回転されて、上側の施肥ホッパ１８から供給される粉粒剤肥料を繰出す繰出ロール５９を有した繰出装置１９が配置される。
【００５２】
又、この施肥装置２２の横端部には、施肥ブロアー２０を設けて、この施肥ブロアー２０の吸引口部に連通する吸気ダクト４１を、前記繰出装置１９の後側部に横方向に沿わせて設けている。
【００５３】
また、この施肥ブロアー２０の吹出口部に連通する施肥ダクト６０と、各繰出装置１９の残留肥料取出口４２から取出される肥料を受けて搬送させる取出ダクト４４とを、前記各繰出装置１９の前側部に横方向に沿わせて設けている。前記施肥ダクト６０は、各繰出装置１９の繰出口をのぞませ施肥ホース２１を連通させて、この施肥ダクト６０から吹込む風圧によって施肥ホース２１内の肥料を苗植付土壌面へ噴送施肥させる。
【００５４】
そして、取出ダクト４４は、前記のように各繰出装置１９の取出口４２から取出される肥料を受けて、この取出ダクト４４を吹出される送風圧によって、一側端部の排出口４３へ噴送して、機外位置に排出させる。これら同一施肥ブロアー２０からの送風を受ける施肥ダクト６０と、取出ダクト４４との分岐部には切替弁を設けて、いずれか一側のダクト６０側、又は４４側へのみ有効に吹出すように構成することも可能である。
【００５５】
又、前記吸気ダクト４１は、施肥ブロアー２０側とは反対側一へ向けて伸延して設けられ、先端部に外気を吸入する吸気口４６を形成している。又、この吸気ダクト４１の途中位置には、切替弁４５と吸気口４０を形成してこの吸気口４０を、エンジンルーム３７の後側に形成される排風路３８にのぞませて、この排風路３８を排出される熱風の一部を吸引して施肥ブロアー２０側へ流すことができる。
【００５６】
切替弁４５は、この吸気口４０を開閉するもので、この吸気口４０を開いて、吸気口４６側との連通を閉めると、前記のように吸気口４０からの熱風吸入する状態に切替えることができ、この吸気口４０を絞めて、吸気口４６側との連通を開けると、この吸気口４６側から取出口４２周部の外気を施肥ブロアー２０へ吸引する状態に切替えることができる。
【００５７】
前記排風路３８は、後輪６間隔部におけるリヤフロア８の下部位置に構成され、ラジエータファン６１の回転によってラジエータ６２を通して吹出される排風を後方へ排風する。この排風路３８の横側には後輪６が配置されている。この後輪６の内側位置に適宜形態の排風カバー３９を設け、この排風カバー３９の内側に前記吸気ダクト４１の吸気口４０をのぞませて、この排風路３８を吹出される熱風排風の一部を吸気ダクト４１へ吸引するものである。そして、この吸気口４０の側部に位置する排風カバー３９によって、後輪６の回転によって飛散の泥土が、吸気口４０に吸入されないように阻止する。
【００５８】
前記リヤフロア８の上部に搭載の施肥装置２２は、この施肥ホッパ１８の上側ホッパ口２３部には、この後側縁に沿うヒンジ２４の周りに上下回動して開閉する蓋２５を設け、この蓋２５の前縁部には、このホッパ１８の左右両側壁２７部に亘る補強バー２６を設け、この施肥ホッパ１８の左右両側壁２７部の前側部には、前記リヤフロア８部から立設の支柱２８を設けて、この支柱２８の上端部に、前記補強バー２６の左右両側部を支持して、蓋２５を開閉可能とする係合フック２９を設けた構成としている。
【００５９】
苗の植付作業時に、苗植付部１６の苗タンク１４の苗が減少して、苗補給を行うときは、作業者がサイドフロア１１上面を前後に移動しながら、前方の補助苗載枠棚に搭載しているマット苗を取り出して、サイドフロア１１の後端部から施肥ホッパ１８越し姿勢で、後側の各苗タンク１４上面に供給する。このとき施肥ホッパ１８はホッパ口２３上面を蓋２５で閉鎖しているため、苗補給作業者は、マット苗を保持した状態の身体の腹部や、苗等の一部を、この施肥ホッパ１８越し姿勢で、ホッパ口２３の蓋２５上面や、補強バー２６等に支持させ、乃至あずけるようにして、苗補給作業を安定した姿勢で行うことができる。
【００６０】
また、施肥作業によって施肥ホッパ１８の肥料が減少して、肥料補給を行うときは、このホッパ口２３の蓋２５を補強バー２６と共にヒンジ２４周りに後側上方へ開動して、ホッパ口２３を開いて、サイドフロア５や、リヤフロア８等上面の肥料袋を持ち上げて、この肥料袋内の肥料を施肥ホッパ１８内へ移し込んで補給する。
【００６１】
前記のように、ホッパ口２３を閉鎖した蓋２５は、この前端縁に沿って蓋２５幅方向の補強バー２６が設けられて、この補強バー２６の左右両端部が施肥ホッパ１８の側壁２７、及び支柱２８の上端部に支持されているため、蓋２５の剛性を高くして、捩じれや、歪みを軽減し、安定した重量物や、作業者等の支持構成とすることができる。
【００６２】
又、前記蓋２５の左右両側端部には、施肥ホッパ１８の左右両側壁２７外側に沿うサイドアーム３０をヒンジ２４周りに開閉回動自在にして設け、このサイドアーム３０と側壁２７の外側壁の間に、蓋２５開動用のスプリング３１を設け、又は、このスプリング３１の係合する係合孔３２位置を変えてスプリング３１の張圧力を調節可能に設ける。
【００６３】
前記施肥ホッパ１８の蓋２５は、左右両側端のサイドアーム３０が、施肥ホッパ１８後側部のヒンジ２４周りに開閉回動することができ、これらサイドアーム３０とホッパ１８の側壁２７との間に設けられたスプリング３１の張圧力によって、後側へ自動開動するように付勢されている。このため、蓋２５を開くときは、前記支柱２８上端部の係合フック２９を外すことによって、蓋２５がスプリング３１の張圧力によって自動的に開動される。
【００６４】
また、この蓋２５を閉動するときは、前記スプリング３１の張圧力に抗して手動で閉鎖回動して、係合フック２９を係合させて支柱２８上に係合固定させることができる。このような蓋２５を開閉回動するためのスプリング３１の張圧力を調節するときは、前記スプリング３１の先端部の係止位置を施肥ホッパ１８の側壁外側面に形成している係合孔３２に選択して掛け替えることによって、蓋２５の開閉回動状態を適宜調節することができる。
【００６５】
前記蓋２５は、合成樹脂製の薄い板材形態に成形されて、外周部に適宜深さに起立形成された蓋縁を有して、施肥ホッパ１８上端部のホッパ口２３の外周縁部に嵌合するように形成している。
【００６６】
また、この蓋２５の形態は、リヤフロア８上面を横方向にそって並列配置の全施肥ホッパ１８のホッパ口２３幅に亘って広幅の単一枚板形態に形成しているが、このホッパ１８横幅の中央部から左右両側部の二枚板形態に分離形成して、リヤフロア８の左右両端部側から各別に開閉操作できるように構成することもできる。この形態では、蓋２５の開閉を行う係合フック２９を有した支柱２８をリヤフロア８幅の中央部位置にも配置することができる。
【００６７】
前記蓋２５の上面部に形成する補強バー２６は、左右両端部を側壁２７面よりも外側へ突出させて、支柱２８上端部の係合フック２９の係合作用を受け易く構成している。
前記リヤフロア８の上面部に適宜角度域前後回動自在に支柱２８を、横方向の支軸３６で支持して、この支軸３６周りに設けたスプリング６５によって後方へ回動するように付勢している。この支軸３６の左右両端部には前側ペダル３５を突出させて設け、このペダル３５を踏込ことによって、スプリング６５に抗して支柱２８を前側へ回動することができる。左右のペダル３５の支軸３６は、リヤフロア８の左右横幅方向に沿って長く形成された一本の支軸３６として、一体的に踏込回動可能の形態とすることもできる。
【００６８】
前記支柱２８は上端部に係合フック２９、及びカム面６８を形成して、閉蓋２３の補強バー２６の左右両端部を係合して、閉蓋２３状態を保持することができる。又、この形態に代えて、補強バー２６の上端部に前後回動可能の係合フック２９（図面省略）を設けて、この蓋２５を閉鎖操作することによって、前記補強バー２６の側端部６９を摺接させるカム面６８を形成して回動されて、この側端部６９を係合させる係合フック２９を設けると共に、この係合フック２９を前記ペダル３５の踏込操作により連動して、前規則端部６９との係合を外すように構成することもできる。
【００６９】
前記蓋２５をヒンジ２４周りに前側回動してホッパ口２３を閉鎖するときは、支軸３６周りに後側へ回動している支柱２８の上端部に形成している傾斜案内面を形成するカム面６８を、蓋２５の前端縁部に固定している補強バー２６の左右両側端部６９が摺接して、この支柱２８をスプリング６３に抗して前側へ回動して、これら側端部６９を係合フック２９に係合されると、支柱２８がスプリング６３の張圧力により後側へ復帰回動させているため、ペダル３５を踏まない限り蓋２５の開動が係止保持される。
【００７０】
次に、図１３において、前記残留肥料取出口４２部側の施肥ホッパ１８の外側部に設ける排出レバー７０の構成に係り、残留肥料の取出排出するために操作する。この排出レバー７０は、硬質合成樹脂材、乃板金材等から成形して、繰返し屈伸可能の屈折部７１を形成して、基部７２に対して先端側グリップ部７３を把持して、板幅方向へ操作することによって基部７２側を連結した連動軸等を回動することができる。従って、この排出レバー７０を操作するときは、グリップ部７３を基部７２に対して直杆状に伸すか、横側へ直交状に屈折させるＡことによって、回動操作を行い易くし、収納するときはグリップ部７３を内側へ折畳むように鋭角状にするＢことができる。
【００７１】
次に、主として、図１４において、苗植付部１６の左右両側部に設ける線引きマーカに係り、マーカアーム８０の先端部に、回転自在のマーカ輪８１を設ける。このマーカ輪８１の外周に配設のラグ８２に泥抜穴８３を形成して、泥土面との接触抵抗を軽減して、泥土や、わら屑等の付着、付き周り等を防止するものである。
【符号の説明】
【００７２】
１    エンジンカバー
２    運転席
３    前輪
４    ステアリングハンドル
５    サイドフロア
６    後輪
７    フェンダー
８    リヤフロア
９    車体
１０  センタフロート
１１  サイドフロート
１２  苗植フレーム
１３  苗取口部
１４  苗タンク
１５  植付装置
１６  苗植付部
１７  リフトリンク
１８  施肥ホッッパー
１９  繰出装置
２０  施肥ブロアー
２１  施肥ホース
２２  施肥装置
２３  ホッッパー口
２４  ヒンジ
２５  蓋
２６  補強バー
２７  側壁
２８  支柱
２９  係合フック
３０  サイドアーム
３１  スプリング
３２  係合孔
３３  ヒンジバー
３４  蓋枠
３５  ペダル
３６  支軸
３７  エンジンルーム
３８  排風路
３９  排風カバー
４０  吸気口
４１  吸気ダクト
４２  残留肥料取出口
４３  排出口
４４  取出ダクト
４５  切替弁
４６  吸気口
【図１】
2015123045.tif 000003
【図２】
2015123045.tif 000004
【図３】
2015123045.tif 000005
【図４】
2015123045.tif 000006
【図５】
2015123045.tif 000007
【図６】
2015123045.tif 000008
【図７】
2015123045.tif 000009
【図８】
2015123045.tif 000010
【図９】
2015123045.tif 000011
【図１０】
2015123045.tif 000012
【図１１】
2015123045.tif 000013
【図１２】
2015123045.tif 000014
【図１３】
2015123045.tif 000015
【図１４】
2015123045.tif 000016